(57)【要約】【課題】美観上の要求に十分に応えることができ、かつ夏季の高温時の勾配屋根でのひずみの発生を確実に防止できる太陽電池モジュール及びこれを用いた屋根取付方法を提供する。【解決手段】勾配屋根2の下地面21上に瓦3の代わりに設置される太陽電池モジュール1に、太陽電池パネル11と、これを保持する太陽電池モジュール枠12とを備える。太陽電池モジュール枠の桁行き方向の働き幅W10を、この働き幅と対応する瓦の桁行き方向両側端の瓦間での働き幅よりも僅かに短い長さに設定する。太陽電池モジュール枠のアンダーラップ部121の桁行き方向の幅W13を、瓦のアンダーラップ部31の桁行き方向の幅W31よりも広い長さにする。太陽電池モジュール枠の桁行き方向の働き幅及びアンダーラップ部の幅との合計寸法W1を、太陽電池モジュールと対応する瓦の桁行き方向の働き幅W30及び瓦のアンダーラップ部の幅との合計寸法W3に等しくする。【選択図】図２
2005207033.tif 000002
【特許請求の範囲】
【請求項１】
勾配屋根の下地面上に瓦の代わりに設置される太陽電池モジュールであって、
太陽電池パネルと、この太陽電池パネルを保持する太陽電池モジュール枠とを備え、
勾配屋根に設置される太陽電池モジュール枠の桁行き方向の働き寸法は、この太陽電池モジュール枠の桁行き方向の働き寸法を対応させるように勾配屋根に敷設される瓦一枚の桁行き方向の働き幅、もしくは瓦複数枚を勾配屋根の桁行き方向に敷設したときの桁行き方向両側端の瓦間での働き幅よりも僅かに短い長さに設定されていることを特徴とする太陽電池モジュール。
【請求項２】
上記請求項１に記載の太陽電池モジュールにおいて、
太陽電池モジュール枠には、その桁行き方向一側を勾配屋根の略傾斜方向に沿って延びるアンダーラップ部と、桁行き方向他側を勾配屋根の略傾斜方向に沿って延びるオーバーラップ部とが設けられており、
上記アンダーラップ部の桁行き方向の幅は、勾配屋根に敷設される瓦のアンダーラップ部の桁行き方向の幅よりも広い長さに設定されていることを特徴とする太陽電池モジュール。
【請求項３】
上記請求項１または請求項２に記載の太陽電池モジュールにおいて、
太陽電池モジュール枠の桁行き方向の働き寸法と、太陽電池モジュール枠のアンダーラップ部の桁行き方向の幅との合計寸法は、この太陽電池モジュール枠の桁行き方向の寸法と対応するように勾配屋根の下地面上に敷設された瓦一枚または瓦複数枚の桁行き方向の働き寸法と、桁行き方向一側の瓦のアンダーラップ部の桁行き方向の幅との合計寸法に等しくなるように設定されていることを特徴とする太陽電池モジュール。
【請求項４】
上記請求項１ないし請求項３のいずれか１つに記載の太陽電池モジュールを用いて、勾配屋根の桁行き方向に複数並べて設置する際に互いに隣接する太陽電池モジュール枠同士をそれぞれ桁行き方向一側および他側の間に隙間を存して設置し、この隙間の下方に一方の太陽電池モジュール枠の桁行き方向一側のアンダーラップ部を位置させるようにしていることを特徴とする屋根取り付け方法。
【発明の詳細な説明】
【技術分野】
【０００１】
本発明は、勾配屋根に設置される太陽電池モジュールおよびこれを用いた屋根取り付け方法に関するものである。
【背景技術】
【０００２】
従来、太陽電池モジュールとしては、太陽電池パネルと、これを保持する太陽電池モジュール枠とを備え、この太陽電池モジュールを支持するための架台を勾配屋根の下地面上に設置し、その架台上に太陽電池モジュールを置き、例えばボルト等を用いて勾配屋根の架台上に太陽電池モジュールを固定して取り付けるようにしたものが知られている。
【０００３】
また、その他の太陽電池モジュールの屋根取付方法としては、勾配屋根に設置される太陽電池モジュール枠の勾配屋根桁行方向の働き寸法（太陽電池モジュール枠の天空に露呈している部分の勾配屋根桁行方向の寸法）を、勾配屋根に敷設される瓦の勾配屋根桁行方向の働き寸法（瓦の天空に露呈している部分の勾配屋根桁行方向の寸法）の整数倍と等しくなるように設定し、太陽電池モジュール施工時の意匠性を高めるようにしたものもある（特許文献１参照）。この場合、太陽電池パネルの周縁を囲む太陽電池モジュール枠は、例えばアルミニウムなどの金属により構成されている。
【特許文献１】特開平１１−１０７４５３号
【発明の開示】
【発明が解決しようとする課題】
【０００４】
ところが、上記従来のものでは、それぞれ以下に述べるような問題点を保有している。
【０００５】
すなわち、勾配屋根下地面の架台上に太陽電池モジュールをボルトなどにより固定するものでは、勾配屋根下地面と太陽電池モジュールとの間に架台が存在するため、太陽電池モジュールが勾配屋根の下地面から離れた平面上に設置されることになり、太陽電池モジュールと勾配屋根との一体感が得られず、美観上の要求に必ずしも応えることができない。
【０００６】
また、太陽電池モジュール枠の勾配屋根桁行方向の働き寸法を瓦の勾配屋根桁行方向の働き寸法の整数倍と等しく設定しているものでは、太陽電池モジュールを施工しない場合の屋根と同様に、勾配屋根の桁行き方向に隣接する瓦同士、または瓦と太陽電池モジュール枠、または太陽電池モジュール同士が、ほぼ突き当ての関係で設置されている。その場合、瓦の寸法公差が太陽電池モジュール枠の寸法公差よりも大きいため、設置領域とそこに設置する太陽電池ユニット枠との間に無視できない寸法差が生じ、太陽電池モジュールの設置自体が困難となるおそれがある。しかも、太陽電池モジュール枠がアルミニウムなどの金属により構成されていると、太陽電池モジュール枠の周囲に敷設される瓦との線膨張係数が互いに異なっているために、特に夏季の高温時に勾配屋根において太陽電池モジュール枠同士または太陽電池モジュール枠と周囲の瓦とが互いに突き当たってひずみが発生するおそれがある。
【０００７】
本発明は、かかる点に鑑みてなされたものであり、その目的とするところは、美観上の要求に十分に応えることができ、かつ夏季の高温時における勾配屋根でのひずみの発生を確実に防止することができる太陽電池モジュールおよびこれを用いた屋根取付方法を提供することにある。
【課題を解決するための手段】
【０００８】
上記目的を達成するため、本発明では、勾配屋根の下地面上に瓦の代わりに設置される太陽電池モジュールとして、太陽電池パネルと、この太陽電池パネルを保持する太陽電池モジュール枠とを備える。そして、勾配屋根に設置される太陽電池モジュール枠の桁行き方向の働き寸法を、この太陽電池モジュール枠の桁行き方向の働き寸法を対応させるように勾配屋根に敷設される瓦一枚の桁行き方向の働き幅、もしくは瓦複数枚を勾配屋根の桁行き方向に敷設したときの桁行き方向両側端の瓦間での働き幅よりも僅かに短い長さに設定している。
【０００９】
この特定事項により、勾配屋根の下地面上に瓦の代わりに太陽電池モジュールが設置されることによって、太陽電池モジュールが架台によって勾配屋根の下地面から離れた平面上に設置されるもののように太陽電池モジュールと勾配屋根との一体感が著しく損なわれることはなく、美観上の要求に十分に応えられる。
【００１０】
その場合、太陽電池モジュール枠の桁行き方向の働き寸法（太陽電池モジュール枠の天空に露呈する部分の桁行き方向の寸法）が、この太陽電池モジュール枠の桁行き方向の働き寸法と対応する瓦一枚もしくは瓦複数枚の桁行き方向の働き幅つまり単数もしくは複数枚の瓦の天空に露呈する部分の桁行き方向の幅（瓦複数枚では、勾配屋根の桁行き方向に敷設されたときの桁行き方向両側端の瓦間での幅）よりも僅かに短い長さに設定されているので、勾配屋根の下地面上の設置領域とそこに設置される太陽電池モジュール枠との間に無視できない寸法差が生じていても、その寸法差が、単数もしくは複数枚の瓦の桁行き方向の働き幅よりも桁行き方向の働き寸法が短い太陽電池モジュール枠によって吸収されることになり、太陽電池モジュールの設置が円滑に行えて、意匠性が優れたものとなる上、施工性の向上を図ることも可能となる。しかも、アルミニウムなどの金属により構成された太陽電池モジュール枠と瓦との線膨張係数が互いに異なっていても、夏季の高温時に勾配屋根において太陽電池モジュール枠同士または太陽電池モジュール枠と瓦とが互いに突き当たって発生するひずみを確実に防止することが可能となる。
【００１１】
また、太陽電池モジュール枠に、その桁行き方向一側を勾配屋根の略傾斜方向に沿って延びるアンダーラップ部と、桁行き方向他側を勾配屋根の略傾斜方向に沿って延びるオーバーラップ部とを設け、上記アンダーラップ部の桁行き方向の幅を、勾配屋根に敷設される瓦のアンダーラップ部の桁行き方向の幅よりも広い長さに設定している場合には、太陽電池モジュール枠同士または太陽電池モジュール枠と瓦との間の隙間の下方に桁行き方向の幅が広い太陽電池モジュール枠のアンダーラップ部を位置付けることで、隙間から落ちる雨水などを太陽電池モジュール枠のアンダーラップ部により確実に受け止めて、屋根面において必要十分な止水効果を得ることが可能となる。
【００１２】
そして、太陽電池モジュール枠の桁行き方向の働き寸法と、太陽電池モジュール枠のアンダーラップ部の桁行き方向の幅との合計寸法を、この太陽電池モジュール枠の桁行き方向の働き寸法と対応するように勾配屋根の下地面上に敷設される瓦一枚または瓦複数枚の桁行き方向の働き寸法と、桁行き方向一側の瓦のアンダーラップ部の桁行き方向の幅との合計寸法に等しくなるように設定している場合には、太陽電池モジュール枠の桁行き方向の働き寸法にアンダーラップ部の幅を加えた合計寸法が瓦の桁行き方向の合計寸法と同じとなり、太陽電池モジュール枠を勾配屋根の下地面上に設置する際、勾配屋根の傾斜方向軒側の瓦に対し傾斜方向棟側の瓦のアンダーラップ部の外側端を一直線上に位置合わせするための小突起部を目印にして、勾配屋根の傾斜方向軒側の瓦に対し同様に太陽電池モジュール枠のアンダーラップ部の外側端を一直線上に位置合わせして太陽電池モジュールの位置決めを円滑に行うことが可能となる。
【００１３】
更に、上述の太陽電池モジュールを用いた屋根取り付け方法として、勾配屋根の桁行き方向に複数並べて設置する際に互いに隣接する太陽電池モジュール枠同士をそれぞれ桁行き方向の働き幅の一側および他側の間に隙間を存して設置し、この隙間の下方に一方の太陽電池モジュール枠の桁行き方向一側のアンダーラップ部を位置させるようにしている場合には、太陽電池モジュールと勾配屋根との一体感を高めて美観上の要求に十分に応えるとともに、太陽電池モジュール設置後のひずみの発生防止、並びに意匠性および施工性の向上を図り、かつ隙間から落ちる雨水などをアンダーラップ部により確実に受け止めて必要十分な止水効果を確保しつつ、太陽電池モジュールを勾配屋根に円滑に取り付けることが可能となる。
【発明の効果】
【００１４】
以上、要するに、架台によって勾配屋根の下地面から離さずに太陽電池モジュールを設置し、勾配屋根との一体感を高めて美観上の要求に十分に応えることができる上、太陽電池モジュール枠の桁行き方向の働き寸法を、この太陽電池モジュール枠の桁行き方向の働き寸法と対応する瓦一枚もしくは瓦複数枚の桁行き方向の働き幅よりも僅かに短い長さに設定することで、勾配屋根の下地面上の設置領域と太陽電池ユニット枠との間に生じる無視できない寸法差を太陽電池モジュール枠によって吸収し、太陽電池モジュールの設置を円滑に行えて意匠性および施工性の向上を図ることができる。しかも、夏季の高温時に勾配屋根において太陽電池モジュール枠同士または太陽電池モジュール枠と周囲の瓦との互いに異なる線膨張係数によるひずみの発生を確実に防止することができる。
【００１５】
また、太陽電池モジュール枠の桁行き方向一側のアンダーラップ部の桁行き方向の幅を瓦のアンダーラップ部の桁行き方向の幅よりも広く設定することで、太陽電池モジュール枠同士または太陽電池モジュール枠と周囲の瓦との間の隙間の下方に桁行き方向に幅広な太陽電池モジュール枠のアンダーラップ部を位置付けておけば、隙間から落ちる雨水などを該アンダーラップ部により確実に受け止めて必要十分な止水効果を得ることができる。
【００１６】
そして、太陽電池モジュール枠の桁行き方向の働き寸法およびアンダーラップ部の桁行き方向の幅の合計寸法を、この太陽電池モジュール枠の桁行き方向の働き寸法と対応する瓦一枚または瓦複数枚の桁行き方向の働き寸法およびアンダーラップ部の桁行き方向の幅の合計寸法に等しくなるように設定することで、勾配屋根の傾斜方向軒側の瓦の小突起部を目印にして、太陽電池モジュール枠のアンダーラップ部の外側端を一直線上に位置合わせして太陽電池モジュールの位置決めを円滑に行うことができる。
【００１７】
更に、上述の太陽電池モジュールを用いて、勾配屋根の下地面上に太陽電池モジュール枠同士をそれぞれ桁行き方向一側および他側の間に隙間を存して設置し、この隙間の下方に一方の太陽電池モジュール枠の桁行き方向一側のアンダーラップ部を位置させるようにして取り付けることで、太陽電池モジュールと勾配屋根との一体感を高めて美観上の要求に十分に応えるとともに、太陽電池モジュール設置後のひずみの発生防止、並びに意匠性および施工性の向上を図り、かつ隙間から落ちる雨水などをアンダーラップ部により確実に受け止めて必要十分な止水効果を確保しつつ、太陽電池モジュールを勾配屋根に円滑に取り付けることができる。
【発明を実施するための最良の形態】
【００１８】
以下、本発明を実施するための最良の形態を図面に基づいて説明する。
【００１９】
図１は本発明の実施形態に係わる太陽電池モジュールを示す斜視図、図２は太陽電池モジュールを勾配屋根の設置領域に並べて取り付けた状態を概略的に示す斜視図、図３は太陽電池モジュールを軒側から屋根面と平行に見た状態を示す説明図である。
【００２０】
図１および図２に示すように、本発明の太陽電池モジュール１は、平面視で略方形を呈し、勾配屋根２の下地面２１上に葺かれた瓦３の代わりに施工される瓦一体型のものである。
【００２１】
上記太陽電池モジュール１は、平面視で略方形を呈する太陽電池パネル１１と、この太陽電池パネル１１の周縁を保持するように例えばアルミニウムなどの不燃材料で枠状に成形された太陽電池モジュール枠１２とを備えている。この太陽電池モジュール枠１２は、その桁行き方向一側（図１では左側）を勾配屋根２の略傾斜方向（図１では略上下方向）に沿って延びるアンダーラップ部１２１と、桁行き方向他側（図１では右側）を勾配屋根２の略傾斜方向に沿って延びるオーバーラップ部１２２とを備えている。また、太陽電池モジュール枠１２は、太陽電池モジュール枠１２の傾斜方向棟側（図１では上側）を桁行き方向に延びる棟側枠部１２３と、傾斜方向軒側（図１では下側）を桁行き方向に延びる軒側枠部１２４とを備えている。そして、図２および図３に示すように、勾配屋根２の桁行き方向（図では左右方向）で互いに相隣なる太陽電池モジュール１，１は、一方の太陽電池モジュール枠１２の桁行き方向一側（図２では左側）のアンダーラップ部１２１または瓦３の桁行き方向一側（図２では左側）のアンダーラップ部３１に対し、他方の太陽電池モジュール枠１２の桁行き方向他側（図２では右側）のオーバーラップ部１２２または瓦３の桁行き方向他側（図２では右側）のオーバーラップ部３２が上方から対向するように設置されている。
【００２２】
上記太陽電池モジュール１を勾配屋根に設置した際に桁行き方向で互いに相隣なる太陽電池モジュール枠１２，１２（オーバーラップ部１２２、棟側枠部１２３および軒側枠部１２４）同士の間には、隙間Ｓ１が形成されている一方、桁行き方向で互いに相隣なる太陽電池モジュール枠１２と瓦３との間には、隙間Ｓ２が形成されている。これらの隙間Ｓ１，Ｓ２の下方には、太陽電池モジュール１０のアンダーラップ部１２または瓦３のアンダーラップ部３１が位置しており、隙間Ｓ１，Ｓ２から入り込んだ雨水等を太陽電池モジュール１０のアンダーラップ部１２または瓦３のアンダーラップ部３１により受け止めて傾斜方向軒側に導くことで、勾配屋根２の下地面２１が濡れないようにしている。
【００２３】
そして、本発明の特徴部分として、勾配屋根２に設置される太陽電池モジュール枠１２の桁行き方向の働き幅Ｗ１０（Ｗ１１＋Ｗ１２）は、この太陽電池モジュール枠１２の桁行き方向の働き幅Ｗ１０を対応させるように勾配屋根２に敷設されるｎ枚（ｎは整数）の瓦３，…の桁行き方向の合計働き幅（Ｗ３：瓦３の桁行き方向の働き幅Ｗ３０のｎ倍）、つまりｎ枚の瓦３，…の桁行き方向両側端の瓦３，３間の合計働き幅Ｗ３（＝ｎ・Ｗ３０）よりもΔ分だけ僅かに短い長さに設定されている。すなわち、Ｗ１０＝ｎ・Ｗ３０−Δの関係にある。本実施形態による図３に例示した太陽電池モジュール１では、ｎ＝３、Δ＝２ｍｍとしている。この場合、太陽電池モジュール枠１２の桁行き方向の働き幅Ｗ１０とは、太陽電池モジュール枠１２が天空に対し露呈している部分（アンダーラップ部１２１を除く部分）、つまり太陽電池モジュール枠１２の傾斜方向棟側（図１では上側）を桁行き方向に延びる棟側枠部１２３および傾斜方向軒側（図１では下側）を桁行き方向に延びる軒側枠部１２４の桁行き方向の幅Ｗ１１と、オーバーラップ部１２２の桁行き方向の幅Ｗ１２との合計寸法のことである。また、瓦３の桁行き方向の働き幅Ｗ３０とは、瓦３が天空に対し露呈している部分、つまり瓦３のアンダーラップ部３１を除いた部分の桁行き方向の幅のことである。
【００２４】
また、太陽電池モジュール枠１２のアンダーラップ部１２１の桁行き方向の幅Ｗ１３は、勾配屋根２に敷設される瓦３のアンダーラップ部３１の桁行き方向の幅Ｗ３１よりも広い長さに設定されている。この場合、アンダーラップ部１２の桁行き方向の幅Ｗ１３は不必要に広くなってはおらず、太陽電池モジュール枠１２のアンダーラップ部１２１が、勾配屋根２の桁行き方向に隣接する瓦３や太陽電池モジュール枠１２と接触することなく施工性を保つことができる。
【００２５】
そして、太陽電池モジュール枠１２の桁行き方向の働き幅Ｗ１０と、太陽電池モジュール枠１２のアンダーラップ部１２１の桁行き方向の幅Ｗ１３との合計寸法Ｗ１は、この太陽電池モジュール枠１２の桁行き方向の働き幅Ｗ１０と対応するように勾配屋根２の下地面２１上に敷設された瓦３，…の桁行き方向の合計働き幅Ｗ３と、ｎ枚の瓦３，…のうちの桁行き方向一側（図では左側）に位置する瓦３のアンダーラップ部３１の桁行き方向の幅Ｗ３１との合計寸法Ｗ２に等しくなるように設定されている。つまり、Ｗ１＝Ｗ１０＋Ｗ１３＝ｎ・Ｗ３０＋Ｗ３１＝Ｗ２の関係にある（ｎ＝３）。この場合、勾配屋根２の下地面２１上に瓦３を敷設する際と同様に、太陽電池モジュール１を勾配屋根２に施工する際、その傾斜方向一段下に敷設された瓦３に設けられている小突起部（図示せず）を目印にし、この小突起部に太陽電池モジュール枠１２のアンダーラップ部１２１を合わせることによって太陽電池モジュール１の位置決めが行われるようになっている。
【００２６】
なお、図１中４は、太陽電池モジュール枠１２の棟側端上部の適切な位置に設けられた目印であって、瓦３の目印と同様の役割を果たしている。
【００２７】
ここで、太陽電池モジュールを用いた屋根取り付け方法の一例を図面に基づいて説明する。
【００２８】
まず、勾配屋根２の下地面２１上に、勾配屋根２の棟側の段から順に、瓦３，…が勾配屋根桁行方向に隣り合って敷設される。瓦３が敷設されない領域には、瓦３の代わりとして太陽電池モジュール１，…が、瓦３もしくは先に敷設された太陽電池モジュール１と勾配屋根桁行方向に隣り合って敷設される。図３に例示した本実施例では３段にわたり太陽電池モジュール１，…が敷設されている。
【００２９】
そして、勾配屋根２の桁行き方向に並べて設置される太陽電池モジュール１，…は、桁行き方向で互いに相隣なる太陽電池モジュール枠１２，１２同士を、互いの働き幅Ｗ１０，Ｗ１０の間に隙間Ｓ１を存して設置し、この隙間Ｓ１の下方に一方（図では右側）の太陽電池モジュール枠１２の桁行き方向一側（図では左側）のアンダーラップ部１２１を位置させるようにしている。
【００３０】
また、桁行き方向に互いに隣接する太陽電池モジュール枠１２および瓦３同士を、互いの働き幅Ｗ１０，Ｗ３０の間に隙間Ｓ２を存して設置し、この隙間Ｓ２の下方に一方（図では右側）の太陽電池モジュール枠１２の桁行き方向一側（図では左側）のアンダーラップ部１２１を位置させるようにしている。
【００３１】
したがって、上記実施形態では、勾配屋根２の下地面上２１の設置領域に瓦３の代わりに太陽電池モジュール１，…が設置されることによって、太陽電池モジュールが架台によって勾配屋根の下地面から離れた平面上に設置されるもののように太陽電池モジュール１と勾配屋根２との一体感が著しく損なわれることはなく、美観上の要求に十分に応えることができることになる。
【００３２】
その場合、太陽電池モジュール枠１２の桁行き方向の働き幅Ｗ１０（Ｗ１１＋Ｗ１２）が、この太陽電池モジュール枠１２の桁行き方向の働き幅Ｗ１０を対応させるように勾配屋根２に敷設される瓦３，…の桁行き方向の合計働き幅Ｗ３よりもΔ分（例えば２ｍｍ）だけ僅かに短い長さに設定されているので、瓦３の仕上がり寸法に多少のばらつきあって、勾配屋根２の下地面２１上の設置領域とそこに設置される太陽電池モジュール枠１２，…との間に寸法差が生じていても、その寸法差が、瓦３，…の桁行き方向の合計働き幅Ｗ３よりも桁行き方向の働き幅Ｗ１０がΔ分だけ短い太陽電池モジュール枠１２によって吸収されることになり、太陽電池モジュール１の設置が円滑に行えて、意匠性を優れたものにすることができる上、施工性の向上を図ることもできる。しかも、太陽電池モジュール枠１２がアルミニウムなどの金属により構成されていて瓦３との線膨張係数が互いに異なっていても、夏季の高温時に勾配屋根２において桁行き方向で互いに相隣る太陽電池モジュール枠１２，１２同士または互いに相隣なる太陽電池モジュール枠１２と瓦３，…とが突き当たって発生するひずみを確実に防止することができる。
【００３３】
また、太陽電池モジュール枠１２のアンダーラップ部１２１の桁行き方向の幅Ｗ１３が、瓦３のアンダーラップ部３１の桁行き方向の幅Ｗ３１よりも広い長さに設定されているので、太陽電池モジュール枠１２，１２同士または太陽電池モジュール枠１２と瓦３，…との間の隙間Ｓ１，Ｓ２の下方に桁行き方向の幅が広い太陽電池モジュール枠１２のアンダーラップ部１２１を位置付けることで、隙間Ｓ１，Ｓ２から落ちる雨水などを太陽電池モジュール枠１２のアンダーラップ部１２１により確実に受け止めて、必要十分な止水効果を得ることができる。
【００３４】
そして、太陽電池モジュール枠１２の桁行き方向の働き幅Ｗ１０と、太陽電池モジュール枠１２のアンダーラップ部１２１の桁行き方向の幅Ｗ１３との合計寸法Ｗ１が、この太陽電池モジュール枠１２の桁行き方向の働き幅Ｗ１０と対応するように勾配屋根２の下地面２１上に敷設した瓦３，…の桁行き方向の合計働き幅Ｗ３と、瓦３，…のうちの桁行き方向一側（図では左側）に位置する瓦３のアンダーラップ部３１の桁行き方向の幅Ｗ３１との合計寸法Ｗ２に等しくなるように設定されているので、太陽電池モジュール枠１２を勾配屋根２の下地面２１上に設置する際、太陽電池モジュール１を設置しない勾配屋根２においては傾斜方向軒側に位置する瓦３に対し傾斜方向棟側に位置する瓦３のアンダーラップ部３１の外側端を一直線上に位置合わせするために瓦３に設けられた小突起部を目印にして、太陽電池モジュール１の勾配屋根２の傾斜方向軒側に位置する瓦３に対し太陽電池モジュール枠１２のアンダーラップ部１２１の外側端を一直線上に位置合わせして太陽電池モジュール１の位置決めを円滑に行うことができる。また、太陽電池モジュール枠１２の棟側端上面に設けられた目印４を目印とすることで、施工しようとする太陽電池モジュール１や瓦３の下段に瓦３ではなく太陽電池モジュール１が位置する場合でも、目印４に太陽電池モジュール枠１２のアンダーラップ部１２１や瓦３のアンダーラップ部３１を合わせることによって太陽電池モジュール１や瓦３を容易に位置決めすることができる。
【００３５】
更に、上述の太陽電池モジュール１を用いた屋根取り付け方法として、勾配屋根２の桁行き方向に複数個並べて、または場合によっては単数のみを設置する際に互いに隣接する太陽電池モジュール枠１２，１２同士をそれぞれ桁行き方向の働き幅Ｗ１０の両側間に隙間Ｓ１を存して設置し、この隙間Ｓ１の下方に一方（図では右側）の太陽電池モジュール枠１２の桁行き方向一側（図では左側）のアンダーラップ部１２１を位置させるようにし、太陽電池モジュール１と瓦３とが隣接して、かつ太陽電池モジュール枠１２のアンダーラップ１２１側に瓦３が位置する場合には、太陽電池モジュール１の桁行方向の働き幅Ｗ１０と瓦３の桁行方向の働き幅Ｗ３０との両側間に隙間Ｓ２を存して設置し、この隙間Ｓ２の下方に太陽電池モジュール枠１２のアンダーラップ部１２１を位置させるようにしている。これにより、太陽電池モジュール１と勾配屋根２との一体感を高めて美観上の要求に十分に応えるとともに、太陽電池モジュール１設置後のひずみの発生防止、並びに意匠性および施工性の向上を図り、かつ隙間Ｓ１及びＳ２から落ちる雨水などをアンダーラップ部１２１により確実に受け止めて必要十分な止水効果を確保しつつ、太陽電池モジュール１を勾配屋根２に円滑に取り付けることができる。
【００３６】
なお、上記実施形態ではｎ＝３として、太陽電池モジュール枠１２の桁行き方向の働き幅Ｗ１０を、３枚の瓦３の桁行き方向の合計働き幅Ｗ３０・３と対応させたが、太陽電池モジュール枠の桁行き方向の働き幅が、瓦単数の桁行き方向の働き幅、もしくは瓦２枚または瓦４枚以上の桁行き方向の合計働き幅と対応するようにしていてもよい。この場合、太陽電池モジュール枠１２の桁行き方向の働き幅Ｗ１０を瓦単数（ｎ＝１）の桁行き方向の働き幅と対応させてもよいのであるが、太陽電池モジュールの設置枚数が結果的に増えるため、施工作業の簡便さを保つ上で、瓦２枚以上の桁行き方向の合計働き幅と対応させた方が望ましい。
【００３７】
また、上記実施形態では、太陽電池モジュール枠１２の桁行き方向の働き幅Ｗ１０を、瓦３枚の桁行き方向の合計働き幅Ｗ３０・３よりもΔ分（２ｍｍ）だけ僅かに短い長さに設定したが、Δは２ｍｍに限定されるものではなく、太陽電池モジュール枠の働き幅や熱膨張により予想される周囲とのひずみを考慮して、適宜決められる数値であってもよい。
【００３８】
更に、上記実施形態では、太陽電池モジュール枠１２の桁行き方向の働き幅Ｗ１０を、この太陽電池モジュール枠１２の桁行き方向の働き幅Ｗ１０を対応させるように勾配屋根２に敷設される３枚の瓦３，…の桁行き方向両側端の瓦３，３間の合計働き幅Ｗ３よりもΔ分だけ僅かに短い長さに設定したが、勾配屋根に設置される太陽電池モジュール枠の桁行き方向の働き幅が、太陽電池モジュール枠の桁行き方向の働き幅を対応させるように勾配屋根に敷設される４〜６枚の瓦の桁行き方向両側端の瓦間の合計働き幅よりもΔ分だけ僅かに短い長さに設定されていてもよいのはもちろんである。
【図面の簡単な説明】
【００３９】
【図１】本発明の実施形態に係わる太陽電池モジュールの全体構成を概略的に示す斜視図である。
【図２】勾配屋根の設置領域に桁行き方向に並べて取り付けた太陽電池モジュール及び瓦を勾配屋根の桁行き方向で切断した断面図である。
【図３】瓦を敷設した勾配屋根の設置領域に取り付けた太陽電池モジュールの斜視図である。
【符号の説明】
【００４０】
１      太陽電池モジュール
１１    太陽電池パネル
１２    太陽電池モジュール枠
１２１  アンダーラップ部
１２２  オーバーラップ部
２      勾配屋根
２１    下地面
３      瓦
Ｗ１    太陽電池モジュールの桁行き方向の合計寸法
Ｗ１０  太陽電池モジュールの桁行き方向の働き幅（働き寸法）
Ｗ１３  太陽電池モジュールのアンダーラップ部の桁行き方向の幅
Ｗ２    瓦ｎ枚分の桁行き方向の合計寸法
Ｗ３    瓦ｎ枚分の桁行方向の合計働き幅（働き寸法）
Ｗ３０  瓦の桁行き方向の働き幅（働き寸法）
Ｗ３１  瓦のアンダーラップ部の桁行き方向の幅
【図１】
2005207033.tif 000003
【図２】
2005207033.tif 000004
【図３】
2005207033.tif 000005